(57)【特許請求の範囲】
【請求項１】
分離された左右の風向変更羽根と、該左右の風向変更羽根の間に設けられた中央の風向変更羽根と、第１の連結軸を介して上記左右の風向変更羽根を一体的に駆動する第１の駆動源と、第２の連結軸を介して上記中央の風向変更羽根を駆動する第２の駆動源とを有し、上記第１及び第２の連結軸を同一直線状に配置するとともに、上記左右の風向変更羽根の一方に第１及び第２の連結部を設けるとともに、他方の風向変更羽根に第３の連結部を設け、上記第１の連結部を上記第１の駆動源に連結する一方、上記第２の連結部を上記第１の連結軸の一端に連結し、上記第１の連結軸の他端を上記第３の連結部に連結したことを特徴とする空気調和機の風向変更装置。
【請求項２】
上記他方の風向変更羽根に対向する上記中央の風向変更羽根の端部に第４の連結部を設け、該第４の連結部を上記第２の連結軸の一端に連結する一方、上記第２の連結軸の他端を上記第２の駆動源に連結した請求項１に記載の空気調和機の風向変更装置。
【請求項３】
上記第１の連結軸が上記中央の風向変更羽根の一部を貫通するとともに、上記中央の風向変更羽根に上記第１の連結軸を覆う連結軸カバーを一体的に形成し、かつ、上記第２の連結軸が上記他方の風向変更羽根の一部を貫通するとともに、上記他方の風向変更羽根に上記第２の連結軸を覆う連結軸カバーを一体的に形成した請求項１あるいは２に記載の空気調和機の風向変更装置。
【請求項４】
上記第２及び第３の連結部の各端面に複数の凸部を形成し、該凸部を上記中央の風向変更羽根の一部に点接触させた請求項１に記載の空気調和機の風向変更装置。
【請求項５】
上記第４の連結部の端面に複数の凸部を形成し、該凸部を上記他方の風向変更羽根の一部に点接触させた請求項２に記載の空気調和機の風向変更装置。
【発明の詳細な説明】
【０００１】
【発明の属する技術分野】
本発明は空気調和機に関し、さらに詳しくは空気調和機の室内機に設けられた風向変更装置に関する。
【０００２】
【従来の技術】
空気調和機の室内機には、空気吹出口から吹き出される風の向きを変更する風向変更装置が設けられており、上下方向の風向を調整したい場合、通常１枚の上下風向変更羽根の角度を変更することにより調整していた。
【０００３】
また、特許公報第２８４４９８４号には、左右方向に３分割された上下方向の風向調整板を有する空気調和機が開示されており、互いに連結された左右の風向調整板の吹出角度と、中央の風向調整板の吹出角度をそれぞれ独立して制御するとともに、左右方向の吹出角度を調整する偏向調整板をさらに制御することにより居住空間の快適性を向上させている。
【０００４】
【発明が解決しようとする課題】
しかしながら、特許公報第２８４４９８４号に記載の空気調和機にあっては、連結風向板にて分割された左右の風向調整板を互いに連結しているものの、一体化されているため、熱変形等不具合が発生した場合、左右の風向調整板と連結風向板全体を交換する必要がある等、補修作業が高価となる。また、連結風向板は、左右及び中央の風向調整板の回動軸の風下方向で、かつ、中央の風向調整板の内側に設けられ、風の抵抗を小さくするように流線形を呈しているが、やはり少なからず風の抵抗を受けるという問題がある。
【０００５】
本発明は、従来技術の有するこのような問題点に鑑みてなされたものであり、風の抵抗を極力低減するとともに見栄えの向上した簡素な構成の安価な空気調和機の風向変更装置を提供することを目的としている。
【０００６】
【課題を解決するための手段】
上記目的を達成するために、本発明のうちで請求項１に記載の発明は、分離された左右の風向変更羽根と、該左右の風向変更羽根の間に設けられた中央の風向変更羽根と、第１の連結軸を介して上記左右の風向変更羽根を一体的に駆動する第１の駆動源と、第２の連結軸を介して上記中央の風向変更羽根を駆動する第２の駆動源とを有し、上記第１及び第２の連結軸を同一直線状に配置するとともに、上記左右の風向変更羽根の一方に第１及び第２の連結部を設けるとともに、他方の風向変更羽根に第３の連結部を設け、上記第１の連結部を上記第１の駆動源に連結する一方、上記第２の連結部を上記第１の連結軸の一端に連結し、上記第１の連結軸の他端を上記第３の連結部に連結したことを特徴とする空気調和機の風向変更装置である。
【０００８】
さらに、請求項２に記載の発明は、上記他方の風向変更羽根に対向する上記中央の風向変更羽根の端部に第４の連結部を設け、該第４の連結部を上記第２の連結軸の一端に連結する一方、上記第２の連結軸の他端を上記第２の駆動源に連結したことを特徴とする。
【０００９】
また、請求項３に記載の発明は、上記第１の連結軸が上記中央の風向変更羽根の一部を貫通するとともに、上記中央の風向変更羽根に上記第１の連結軸を覆う連結軸カバーを一体的に形成し、かつ、上記第２の連結軸が上記他方の風向変更羽根の一部を貫通するとともに、上記他方の風向変更羽根に上記第２の連結軸を覆う連結軸カバーを一体的に形成したことを特徴とする。
【００１０】
また、請求項４に記載の発明は、上記第２及び第３の連結部の各端面に複数の凸部を形成し、該凸部を上記中央の風向変更羽根の一部に点接触させたことを特徴とする。
【００１１】
また、請求項５に記載の発明は、上記第４の連結部の端面に複数の凸部を形成し、該凸部を上記他方の風向変更羽根の一部に点接触させたことを特徴とする。
【００１２】
【発明の実施の形態】
以下、本発明の実施の形態について、図面を参照しながら説明する。
図１は、本発明にかかる空気調和機Ｃを示しており、居住空間の壁面に取り付けられる台枠２と、台枠２に取り付けられる前面枠４と、前面枠４に枢着された吸入グリル６とを備えている。前面枠４の下部には、居住空間に温度調整した空気を送り出す吹出口８が形成されており、吹出口８には、この吹出口８の閉塞と、開放時には温度調整された空気の吹出角度（風向）を変更する風向変更装置Ａが設けられている。
【００１３】
図２及び図３に示されるように、風向変更装置Ａは、上下方向の吹出角度を変更する風向変更羽根１０と、左右方向の吹出角度を変更する風向変更羽根（図示せず）とを有し、これらの風向変更羽根は、前面枠４に揺動自在に取り付けられている。風向変更羽根１０は、３枚に分離されており、一体的に揺動するように連結された左右の風向変更羽根１２，１４と、左右の風向変更羽根１２，１４との間に設けられ、左右の風向変更羽根１２，１４とは独立して揺動する中央の風向変更羽根１６とを備えている。
【００１４】
左側（正面から見て）の風向変更羽根１２の両側には、両端の支持板１７，１７より横方向に突出する円筒状連結部１８，２０が風向変更羽根１２と一体的に形成されている。左側の連結部１８は、前面枠４に固定された駆動源（例えば、モータ）２２の駆動軸２２ａに連結される一方、右側の連結部２０は、連結軸２４の一端（左端）に連結されている。連結軸２４は、中央の風向変更羽根１６と一体的に形成された複数の支持板２６,…,２６を貫通し、その他端（右端）は、右側の風向変更羽根１４と一体的に形成され横方向に突出するクランク状の連結部２８に連結されている。
【００１５】
この連結部２８は、図４に示されるように、連結軸２４が連結される円筒状の連結端部２８ａと、連結端部２８ａを風向変更羽根１４の複数の支持板３０,…,３０の一つ（左端の支持板）と一体的に連結するＬ字状レバー２８ｂとを有しており、連結端部２８ａと支持板３０との間には、中央の風向変更羽根１６の連結部（後述）が収容されるスペースが設けられている。
【００１６】
中央の風向変更羽根１６の一端（右端）には、その裏面より突出する連結部３２が一体的に形成されており、この連結部３２と右端の支持板２６との間には、右側の風向変更羽根１４の連結部２８の連結端部２８ａが収容されるスペースが設けられている。連結部３２は連結軸３４の一端（左端）に連結されており、連結軸３４は右側の風向変更羽根１４の支持板３０,…,３０を貫通するとともに、その他端（右端）は、前面枠４に固定された駆動源（例えば、モータ）３６の駆動軸３６ａに連結されている。
【００１７】
なお、二つの連結軸２４，３４は、比較的細くて同一直線状に配置されていることから、通風抵抗が小さく、見栄えも向上している。
【００１８】
また、二つの駆動源２２，３６は、コントローラ（図示せず）に電気的に接続されており、コントローラの制御を受けて、同期してあるいは独立して回動するが、その制御内容は本発明の主題ではないので、その説明は省略する。
【００１９】
さらに、右側の風向変更羽根１４の左端の支持板３０と、この支持板３０に突設された連結部２８との間のスペースは、中央の風向変更羽根１６に突設された連結部３２の横方向の長さよりわずかに大きく設定されており、同様に、中央の風向変更羽根１６の右端の支持板２６と、風向変更羽根１６の右端に突設された連結部３２との間のスペースは、右側の風向変更羽根１４の連結部２８の横方向の長さよりわずかに大きく設定されていることから、連結部２８，３２同士が干渉することはない。
【００２０】
また、連結軸２４は、中央の風向変更羽根１６の支持板２６,…,２６を貫通しているが、支持板２６,…,２６の貫通部と貫通部との間には、図５に示されるように、円筒の一部を切り欠いた形状の連結軸カバー３８が一体的に形成されており、連結軸２４の殆どは、この連結軸カバー３８に覆われており、外部より見えない構造となっている。同様に、連結軸３４は、右側の風向変更羽根１４の支持板３０,…,３０を貫通しているが、支持板３０,…,３０の貫通部と貫通部との間にも、連結軸カバー３８と同じ形状の連結軸カバー４０が一体的に形成されており、連結軸３４の殆どは、この連結軸カバー４０に覆われている。
【００２１】
図６に示されるように、中央の風向変更羽根１６の左端の支持板２６と対向する左側の風向変更羽根１２の連結部２０の端面には、複数（例えば、４個）の凸部２０ａ,…,２０ａが所定の間隔で形成されており、互いに対向する連結部２０と支持板２６とは面接触することなく点接触することから、樹脂同士の摩擦音が低減する。また、接触抵抗が小さいことから、トルクの小さい駆動源２２の使用が可能である。さらに、上記凸部２０ａ,…,２０ａと同様の凸部が、右側の風向変更羽根１４の連結部２８及び中央の風向変更羽根１６の連結部３２にも形成されている。
【００２２】
なお、図２及び図３において、４２，４４は、左右の風向変更羽根１２，１４をそれぞれ揺動自在に支持する支持部材を示しており、４６は、中央の風向変更羽根１６を揺動自在に支持する支持部材を示している。支持部材４２は、左側の風向変更羽根１２と中央の風向変更羽根１６との分離部にほぼ位置しており、支持部材４４は、右側の風向変更羽根１４と中央の風向変更羽根１６との分離部にほぼ位置している。また、支持部材４６は、中央の風向変更羽根１６のほぼ中央に位置している。
【００２３】
【発明の効果】
本発明は、以上説明したように構成されているので、以下に記載されるような効果を奏する。
本発明のうちで請求項１に記載の発明によれば、風向変更羽根を三つに分離し、第１の駆動源により第１の連結軸を介して左右の風向変更羽根を一体的に駆動する一方、第２の駆動源により第２の連結軸を介して中央の風向変更羽根を駆動し、第１及び第２の連結軸を同一直線状に配置したので、見栄えがよいばかりでなく、風の抵抗を極力低減することができる。また、風向変更装置の構成が簡素で、安価に製作することができるとともに、風向変更羽根の補修も単品で済ますことができ、安価となる。
【００２４】
また、左右の風向変更羽根の一方に第１及び第２の連結部を設けるとともに、他方の風向変更羽根に第３の連結部を設け、第１の連結部を第１の駆動源に連結する一方、第２の連結部を第１の連結軸の一端に連結し、第１の連結軸の他端を第３の連結部に連結したので、構成が簡素で安価な風向変更装置を提供することができ、また、各連結部と連結軸の連結に際し、軸方向の角度調整で左右の風向変更羽根と中央の風向変更羽根の角度調整が可能となり、吹出口の閉塞を確実にする。
【００２５】
さらに、請求項２に記載の発明によれば、他方の風向変更羽根に対向する中央の風向変更羽根の端部に第４の連結部を設け、この第４の連結部を第２の連結軸の一端に連結する一方、第２の連結軸の他端を第２の駆動源に連結したので、左右の風向変更羽根と同期してあるいは独立して中央の風向変更羽根を揺動することが可能で、構成が簡素で安価な風向変更装置を提供することができる。
【００２６】
また、請求項３に記載の発明によれば、中央の風向変更羽根に第１の連結軸を覆う連結軸カバーを一体的に形成するとともに、第２の連結軸が貫通する風向変更羽根に第２の連結軸を覆う連結軸カバーを一体的に形成したので、第１及び第２の連結軸が外部から殆ど見えず、見栄えが向上する。
【００２７】
また、請求項４に記載の発明によれば、第２及び第３の連結部の各端面に複数の凸部を形成し、この凸部を中央の風向変更羽根の一部に点接触させたので、樹脂同士の摩擦音が低減するとともに、第１の駆動源のトルクを小さくすることができる。
【００２８】
また、請求項５に記載の発明によれば、第４の連結部の端面に複数の凸部を形成し、この凸部を対向する風向変更羽根の一部に点接触させたので、樹脂同士の摩擦音が低減するとともに、第１の駆動源のトルクを小さくすることができる。
【図面の簡単な説明】
【図１】  本発明にかかる風向変更装置を備えた空気調和機の斜視図である。
【図２】  本発明にかかる風向変更装置の斜視図である。
【図３】  図２の風向変更装置の分解斜視図である。
【図４】  図２の風向変更装置に設けられた二つの連結軸の端部近傍の拡大斜視図である。
【図５】  図２の風向変更装置に設けられた中央の風向変更羽根の拡大縦断面図である。
【図６】  図２の風向変更装置に設けられた左側の風向変更羽根の端部の拡大斜視図である。
【符号の説明】
２    台枠
４    前面枠
６    吸入グリル
８    吹出口
１０，１２，１４，１６  風向変更羽根
１７，２６，３０  支持板
１８，２０，２８，３２  連結部
２０ａ  凸部
２２，３６  駆動源
２２ａ，３６ａ  駆動軸
２４，３４  連結軸
３８，４０  連結軸カバー
４２，４４，４６  支持部材
Ａ    風向変更装置
Ｃ    空気調和機
【図１】
0003746404.tif 000002
【図２】
0003746404.tif 000003
【図３】
0003746404.tif 000004
【図４】
0003746404.tif 000005
【図５】
0003746404.tif 000006
【図６】
0003746404.tif 000007